(57)【要約】【課題】生体成分核酸定量用アレイデバイス及び生体成分解析キットを使用する際に、ビーズの入った微小ウェルからのシグナルを高精度に検出する方法を提供する。【解決手段】生体物質検出容器内の流路内及びその流路内に形成された複数のウェル内にビーズを含む混合液を送液し、油性封止液を流路内に送液して複数のウェル内の混合液を油性封止液により封止しても複数のウェルの底面とビーズとを非接触の状態にしておくことにより、複数のウェルの下部に観察可能なシグナルを発する反応液を配する。このように、混合液に含まれるビーズの直径を微小ウェルの直径よりも大きくし、微小ウェルの底面にビーズが接触しないようにすることで、ウェルの底面からシグナル検出する。【選択図】図２
2017049151.tif 000002
【特許請求の範囲】
【請求項１】
生体物質検出容器内の流路内及び前記流路内に形成された複数のウェル内にビーズを含む混合液を送液し、
油性封止液を前記流路内に送液して前記複数のウェル内の前記混合液を前記油性封止液により封止しても前記複数のウェルの底面と前記ビーズとを非接触の状態にしておくことにより、前記複数のウェルの下部に観察可能なシグナルを発する反応液を配することを特徴とする生体物質検出方法。
【請求項２】
前記ビーズの直径が複数のウェルの各々の底面の直径よりも大きい請求項１に記載の生体物質検出方法。
【請求項３】
前記複数のウェル内の一部に構造体が設けられ、
前記構造体が前記ビーズを支持する請求項１に記載の生体物質検出方法。
【請求項４】
前記ビーズが磁性ビーズであり、
前記複数のウェル内の前記混合液を前記油性封止液により封止した後、前記ビーズを前記複数のウェルの上方から磁力で引っ張る請求項１に記載の生体物質検出方法。
【請求項５】
前記混合液がシグナル増幅反応試薬を含み、
前記生体物質検出容器内でシグナル増幅反応を行い、
前記生体物質検出容器内に対してシグナル検出を行う請求項１から４のいずれか一項に記載の生体物質検出方法。
【請求項６】
前記シグナル増幅反応が等温反応である請求項５に記載の生体物質検出方法。
【請求項７】
前記等温反応が酵素反応である請求項６に記載の生体物質検出方法。
【請求項８】
前記酵素反応がインベーダー反応である請求項７に記載の生体物質検出方法。
【請求項９】
前記シグナル検出として、前記生体物質検出容器内における生体物質の有無に対応した蛍光、発光、ｐＨ変化、吸光度変化、及び電位変化のうち少なくとも１つを検出する請求項５から８のいずれか一項に記載の生体物質検出方法。
【請求項１０】
前記混合液が、解析対象物質となるＤＮＡ、ＲＮＡ、ｍｉＲＮＡ、ｍＲＮＡ、又はタンパク質のいずれかを含み、更に前記解析対象物質に対する特異的標識能を有する標識物質に鋳型核酸が含まれた状態又は結合可能な状態で、前記標識物質を含む請求項１から請求項９のいずれか一項に記載の生体物質検出方法。
【請求項１１】
前記標識物質が、前記鋳型核酸とは異なるＤＮＡ鎖、酵素、粒子、抗体、及びリポソームのうちの少なくとも一つを含むことを特徴とする請求項１０に記載の生体物質検出方法。
【発明の詳細な説明】
【技術分野】
【０００１】
本発明は、生体物質を含む液体を観察する領域を確保する生体物質検出方法に関する。
【背景技術】
【０００２】
従来、疾患や体質の診断を、生体分子を解析することによって行うことが知られている。例えば、一塩基多型（Ｓｉｎｇｌｅ  Ｎｕｃｌｅｏｔｉｄｅ  Ｐｏｌｙｍｏｒｐｈｉｓｍ：ＳＮＰ）解析による体質診断、体細胞変異解析による抗がん剤の投与判断、ウイルスのタンパク質やＤＮＡの解析による感染症対策等が知られている。
【０００３】
例えば、がんの治療薬では、ＥＧＦＲ−ＴＫＩ（チロシンキナーゼ阻害薬）の投与前後で変異型ＥＧＦＲ（上皮成長因子受容体）のコピー数を定量することで、治療効果の指標とできることが示唆されている。従来、リアルタイムＰＣＲ（ポリメラーゼ連鎖反応）を用いた定量が行われていたが、検査に使用された核酸の総量が変化することが定量性に影響を与えることがわかっており、今日では核酸の総量が定量性に影響しないデジタルＰＣＲ技術が開発されている。
【０００４】
デジタルＰＣＲ技術とは、ＰＣＲ反応試薬と核酸との混合物を多数の微小液滴に分割し、これらの微小液滴に対して、混合物中の核酸のうち検出対象となる核酸を鋳型とするＰＣＲ増幅を行うことにより、鋳型核酸を含んだ微小液滴からＰＣＲ増幅による蛍光等のシグナルを検出し、微小液滴の全数のうちシグナルが検出された微小液滴の割合を求めることによって、試料中の核酸を定量する技術である。
例えば、特許文献１や非特許文献１には、微少量の容積を有する微小空間内で酵素反応を行うことで、デジタルＰＣＲを利用して生体物質検査をすることができることが示されている。
【０００５】
デジタルＰＣＲに使用される微小液滴の作製方法として、試薬と核酸の混合物を封止液で分断化することで微小液滴を作製する方法や、基板上に孔を空けた中に試薬と核酸の混合物を入れた後に封止液で孔を封止することで微小液滴を作製する方法等が知られている。また、特許文献２には、少量の試薬で大量の実験データを短時間で獲得するためにマイクロチャンバー内でエマルジョン（乳濁液）を製造する方法が開示されている。
【０００６】
デジタルＰＣＲでは、１つの微小液滴に存在する鋳型核酸が１個又は０個となるように、ＰＣＲ反応試薬と核酸との混合物は希釈されている。デジタルＰＣＲでは、核酸増幅の感度を高めるために、また多数の微小液滴に対して同時に核酸増幅を行うために、各微小液滴の体積は小さい方が好ましい。例えば、非特許文献１には、各ウェルの容積が６ｎｌ（ナノリットル）となるように形成されたマイクロアレイ状の反応容器が開示されている。また、非特許文献２には、深さ３μｍ、直径５μｍのウェルが流路内に多数形成されたマイクロアレイに対して流路に試料を流して各ウェルに試料を導入した後、流路内の余剰試薬を封止液で押し出すことによって、各ウェル内に試料を導入する方法が開示されている。
【０００７】
微小液滴中に効率良く生体物質を入れるために、生体物質を結合させたマイクロビーズを利用しており、マイクロビーズの入った液滴からの発光を観察している。
【先行技術文献】
【特許文献】
【０００８】
【特許文献１】特表２００３−５１１００９号公報
【特許文献２】特許第４９１１５９２号
【非特許文献】
【０００９】
【非特許文献１】ＰＬＯＳ  ＯＮＥ，３（８），ｅ２８７６，（２００８）
【非特許文献２】ＬＡＢ  ＯＮ  Ａ  ＣＨＩＰ，ＤＯＩ：１０．１０３９／ｃ２１ｃ４０６３２ｂ，（２０１２）
【発明の概要】
【発明が解決しようとする課題】
【００１０】
しかしながら、上記非特許文献２に開示された技術では、図１に示すように、微小ウェル内の発光を顕微鏡で観察するときにビーズが邪魔をするため、発光した全ての光を検出することができないという課題があった。
【００１１】
本発明は、上述した事情に鑑みてなされたものであって、その目的は、生体成分核酸定量用アレイデバイス及び生体成分解析キットを使用する際に、ビーズの入った微小ウェルからのシグナルを高精度に検出する生体物質検出方法を提供することである。
【課題を解決するための手段】
【００１２】
本発明の一態様に係る生体物質検出方法では、生体物質検出容器内の流路内及びその流路内に形成された複数のウェル内にビーズを含む混合液を送液し、油性封止液を流路内に送液して複数のウェル内の混合液を油性封止液により封止しても複数のウェルの底面とビーズとを非接触の状態にしておくことにより、複数のウェルの下部に観察可能なシグナルを発する反応液を配する。
【発明の効果】
【００１３】
本発明によれば、生体成分核酸定量用アレイデバイス及び生体成分解析キットを使用する際に、ビーズの入った微小ウェルからのシグナルを高精度に検出することができる。
【図面の簡単な説明】
【００１４】
【図１】従来技術を説明する断面模式図である。
【図２】本発明の第一の態様を説明する断面模式図である。
【図３】本発明の第二の態様を説明する断面模式図である。
【図４】本発明の第三の態様を説明する断面模式図である。
【図５】本発明の実施例１における生体成分解析結果を示す写真である。
【図６】本発明のウェル形状の変形例を説明する断面模式図である。
【発明を実施するための形態】
【００１５】
次に、図面を参照して、本発明の実施形態を説明する。以下の図面の記載において、同一又は類似の部分には同一又は類似の符号を付している。但し、図面は模式的なものであり、厚みと平面寸法との関係、各層の厚みの比率等は現実のものとは異なることに留意すべきである。したがって、具体的な厚みや寸法は以下の説明を参酌して判断すべきものである。また、図面相互間においても互いの寸法の関係や比率が異なる部分が含まれていることは勿論である。
また、以下に示す実施形態は、本発明の技術的思想を具体化するための装置や方法を例示するものであって、本発明の技術的思想は、構成部品の材質、形状、構造、配置等を下記のものに特定するものでない。本発明の技術的思想は、請求の範囲に記載された請求項が規定する技術的範囲内において、種々の変更を加えることができる。
【００１６】
＜実施形態＞
以下に、本発明の一実施形態について添付図面を参照して説明する。
本発明の一実施形態に係る生体分子解析キットでは、解析する生体分子（解析対象物質）として、ＤＮＡ、ＲＮＡ、ｍｉＲＮＡ、ｍＲＮＡ、タンパク質エクソソーム、リポソーム、及び細胞のいずれかが選ばれる。
【００１７】
図２、図３、及び図４に示すように、本実施形態に係る生体分子解析キットは、反応容器を構成する基材部１２、疎水性を有するＣＹＴＯＰ（登録商標）等の疎水性材料１１及び反応場である微小ウェル１５を密封可能なカバー１０を備える。ここでは、疎水性材料１１に微小ウェル１５が形成されているが、実際には、基材部１２に微小ウェル１５が直接形成されていても良いし、別の部材に微小ウェル１５を形成し、接着等で基材部１２に固定されても良い。実際には、微小ウェル１５の少なくとも一部が疎水性を有する構造であれば良い。言い換えれば、微小ウェル１５の少なくとも一部が疎水性を有する部分を有していれば良い。この疎水性を有する部分は、ＣＹＴＯＰ（登録商標）以外の材料で構成されていても良い。ここでの疎水性とは、疎水性を有する部分（材料）の表面において、混合液３１、油性封止液３０の接触角を測定し、混合液３１の接触角よりも、油性封止液３０の接触角が小さいことをいう。接触角は、一般的な測定機器で計測することができる。
【００１８】
カバー１０は、基材部１２との間に隙間を有して複数の微小ウェル１５の開口部分を覆うように基材部１２に重ねられている。基材部１２とカバー１０との間は、各種の液体が流れる流路となる。
【００１９】
基材部１２は、例えばガラスで形成される。ガラスの厚さは、基材部１２を材料としてインプリントによって複数の微小ウェル１５を形成する過程で十分な強度を有する点を考慮して適宜設定される。
【００２０】
微小ウェル１５の材質は、樹脂やガラス等であって良い。微小ウェル１５の材質は、基材部１２の材質と同じでも良いし、異なっていても良い。また、微小ウェル１５は、基材部１２と同じ材料で一体化又は一体成型されていても良い。樹脂からなる微小ウェル１５の材質の例としては、シクロオレフィンポリマー、シリコン、ポリプロピレン、ポリカーボネート、ポリスチレン、ポリエチレン、ポリ酢酸ビニル、フッ素樹脂、アモルファスフッ素樹脂等が挙げられる。なお、微小ウェル１５の例として示されたこれらの材質はあくまでも一例に過ぎず、微小ウェル１５の材質はこれらには限られない。
【００２１】
反応場を構成する微小ウェル１５は、例えば、直径が５μｍ、深さが５μｍとなり一端に開口部を有する有底円柱形状の空間である。ここでは、微小ウェル１５の直径は、微小ウェル１５の開口部の直径を示す。反応容器には、複数の微小ウェル１５のアレイが形成されている。すなわち、微小ウェル１５は、反応容器において整列配置されている。
【００２２】
例えば、微小ウェル１５は、基材部１２において縦横５ｍｍの長方形をなす表面に対して、その各辺に沿った格子状をなして配列される。反応容器は、この格子状に配列された微小ウェル１５が少なくとも１つ以上形成された基材部１２とカバー１０で構成される。各微小ウェル１５の隙間の大きさは、各微小ウェル１５において独立してシグナル検出ができる分解能に応じて設定される。
【００２３】
微小ウェル１５の容積は適宜設定されて良いが、微小ウェル１５の容積が小さい方がシグナル検出可能となるまでの反応時間を短縮可能である。一例として、微小ウェル１５の容積は、１００ピコリットル又はそれ以下である。
具体的には、シグナルを飽和させて十分なシグナルを発生させるのにかかる時間を短縮する目的がある場合には、解析対象の分子が１ウェルに１つ以下となる液量に基づいて微小ウェル１５の容積が設定される。
【００２４】
本実施形態では、生体分子解析キットの反応場となる微小ウェル１５の内面に対して試薬の構成成分が吸着されるのを防止する目的で、各試薬に吸着防止剤が含まれている。
吸着防止剤の組成は、例えば、界面活性剤、リン酸脂質、その他の高分子化合物のうちの少なくとも１種を含んだ組成であり、任意のものを混合して用いても良い。例を挙げると、界面活性剤としては、Ｔｗｅｅｎやｇｌｙｃｅｒｏｌが挙げられる。また、高分子化合物としては、Ｐｏｌｙｅｔｈｙｌｅｎｅ  ｇｌｙｃｏｌ（ＰＥＧ）、ＤＮＡ、蛋白質が挙げられる。
また、２種以上の材料が混合されてなる混合した吸着防止剤として、例えば、リン酸脂質とＰＥＧを混合したものが挙げられる。
【００２５】
これらの吸着防止剤は、反応場である微小ウェル１５の内面に吸着される物質でも構わないが、酵素反応に用いられる酵素、解析対象となる核酸やタンパク質、及びシグナル検出に利用される標識物質等に対する吸着性が低い物質である。このため、吸着防止剤が含まれた試薬が微小ウェル１５内に供給されることにより、反応場となる微小ウェル１５の内面は、吸着防止剤が含まれていない場合と比較して、酵素反応に用いられる酵素、解析対象となる核酸やタンパク質、及びシグナル検出に利用される標識物質等が吸着されにくい状態となる。
【００２６】
吸着防止剤は、酵素反応に用いられる酵素、解析対象となる核酸やタンパク質、及びシグナル検出に利用される標識物質等のうちの少なくとも１つが最初に反応容器の内部に供給される前から、シグナル検出が終了するまでの間に反応容器の内部に接する試薬のすべてに含まれていることが好ましい。例えば、吸着防止剤は、試薬を所定濃度に希釈するための緩衝液等の溶媒に混合されていても良い。
なお、吸着防止剤は、酵素反応やシグナル増幅反応を阻害しない物質であることが好ましい。
【００２７】
また、微小ウェル１５に油性封止液３０を入れる場合、油性封止液３０に上記の吸着防止剤を入れて用いても良い。
油性封止液３０は、基材部１２とカバー１０との間に、図示しない注入口部から送液可能な溶液である。油性封止液３０は、解析対象物質を含む試料と混合しないものから選ぶことができる。油性封止液３０として、例えばミネラルオイルを使用することもできる。
【００２８】
本実施形態に係る混合液３１は、解析対象物質を含む試料と緩衝液、検出反応試薬の少なくとも１つを含む溶液である。例えば、混合液３１は、解析対象物質となるＤＮＡ、ＲＮＡ、ｍｉＲＮＡ、ｍＲＮＡ、又はタンパク質のいずれかを含み、更に解析対象物質に対する特異的標識能を有する標識物質に鋳型核酸が含まれた状態又は結合可能な状態で、標識物質を含む。この標識物質は、鋳型核酸とは異なるＤＮＡ鎖、酵素、粒子、抗体、及びリポソームのうちの少なくとも一つを含む。また、この混合液３１は、必要に応じて上記の吸着防止剤を含んでも良い。
【００２９】
検出反応試薬は、例えば解析対象物質に関連する鋳型核酸に対する生化学的反応を行うための試薬である。鋳型核酸に対する生化学的反応は、例えば、鋳型核酸が存在する条件下でシグナル増幅が起こるような反応である。本実施形態に係る検出反応試薬は、鋳型核酸に対する酵素反応を生じさせる試薬である。検出反応試薬は、例えば核酸を検出可能な方法に応じて選択される。例えば、インベーダー（登録商標）法や、ＴａｑＭａｎ（登録商標）法、又は蛍光プローブ法やその他の方法に使用される試薬が本実施形態に係る検出反応試薬として生体成分解析キットに含まれる。
【００３０】
また、この混合液３１は、ビーズ２０を含む。
ビーズ２０の一例として、磁性ビーズを挙げることができる。磁性ビーズは磁性物質と、磁性物質を被覆するポリマー層を備える磁性ポリマー粒子である。磁性ポリマー粒子は、１個のポリマー粒子に、複数個の磁性物質が被覆されて存在していても良い。ポリマー粒子に被覆される物質としては、水中での微粒子生成が可能なマグネタイト等のフェライト粒子が好ましい。他方、フェライト以外の物質としては、例えば各種磁性金属の微粒子、又は各種磁性化合物が用いられ、これらの物質がそれぞれに有する特徴的な磁気的性質をさまざまに利用することもできる。
【００３１】
本発明の第一の態様は、図２に示すように、混合液３１に含まれるビーズ２０の直径を微小ウェル１５の直径よりも大きくし、微小ウェル１５の底面にビーズ２０が接触しないようにすることで、微小ウェル１５の底面からシグナル検出することを特徴とする生体物質の検査キットである。なお、実際には、微小ウェル１５の直径を、混合液３１に含まれるビーズ２０の直径よりも小さくしても良い。結果として、ビーズ２０の直径を微小ウェル１５の直径よりも大きくするのと同じことである。
【００３２】
本発明の第二の態様は、図３に示すように、微小ウェル１５の底面の一部に構造体３５を設置し、この構造体３５がビーズ２０を支持し、微小ウェル１５の底面にビーズ２０が接触しないようにすることで、微小ウェル１５の底面からシグナル検出することを特徴とする生体物質の検査キットである。
構造体３５は、微小ウェル１５を形成する際に、一緒に形成することが好ましい。例えば、構造体３５は、微小ウェル１５の底面から開口部に向かって形成された突起部である。なお、実際には、微小ウェル１５の底面の一部に構造体３５を設置しても良い。例えば、構造体３５は、微小ウェル１５の側面に形成された突起部でも良い。すなわち、微小ウェル１５内の一部に、ビーズ２０を支持可能な構造体３５を設置していれば良い。
【００３３】
本発明の第三の態様は、図４に示すように、混合液３１に含まれるビーズ２０を微小ウェル１５に入れ、油性封止液３０により封止した後に、磁性ビーズであるビーズ２０を微小ウェル１５の上方から磁力で引っ張ることにより、微小ウェル１５の底面にビーズ２０が接触しないようにすることで、微小ウェル１５の底面からシグナル検出することを特徴とする生体物質の検査キットである。
【００３４】
混合液３１がシグナル増幅反応試薬を含み、微小ウェル１５内でシグナル増幅反応を行い、微小ウェル１５内に対してシグナル検出を行っても良い。
【００３５】
このとき、シグナル増幅反応が酵素反応であっても良い。
また、酵素反応が等温反応であっても良い。
また、酵素反応がインベーダー反応であっても良い。
【００３６】
また、シグナル検出として、微小ウェル１５内における生体物質の有無に対応した蛍光、発光、ｐＨ変化、吸光度変化、及び電位変化のうち少なくとも１つを検出するようにしても良い。
【実施例１】
【００３７】
（核酸定量用アレイデバイスの作製）
０．５ｍｍ厚のガラス製の基材部１２に疎水性材料１１としてＣＹＴＯＰ（登録商標）（旭硝子製）をスピンコートし、１８０℃で３時間熱硬化させ、フォトリソグラフィー技術を使って直径５μｍの孔を１００万個持つ基材部１２を作製した。ＣＹＴＯＰ（登録商標）をスピンコートすることにより基材部１２に形成された層がフォトリソグラフィーにより成形されることにより、上記実施形態に開示された微小ウェル１５となった。ＣＹＴＯＰ（登録商標）をスピンコートすることにより基材部１２に形成された層の厚さは３μｍである。
【００３８】
続いて、基材部１２との隙間が１００μｍとなるように、カバー１０としてカバーガラスを設置した。基材部１２とカバー１０との間には、粘着テープからなるスペーサーが配された。更に、基材部１２とカバー１０との間に、水性液体を混合液３１として送液し、直径５μｍの孔と、基材部１２とカバー１０との間の隙間との全体に、水性液体を満たした。本実施例では水性液体の組成は２０μＭ  ＭＯＰＳ  ｐＨ７．５、１５ｍＭ  ＮａＣｌ、６．２５ｍＭ  ＭｇＣｌ２である。
【００３９】
（ビーズの送液）
６μｍと３μｍのビーズ２０を蛍光色素であるローダミンと混合し、基材部１２とカバー１０との間に流し込んだ後、油性封止液３０であるＦＣ−４０（シグマ）を流し込み、微小ウェル１５に混合液３１とビーズ２０を封止した。
【００４０】
（蛍光強度の測定）
次に、微小ウェル１５に含まれる蛍光色素を蛍光顕微鏡で観察した。ここでは、反応後の核酸検出反応容器は、蛍光顕微鏡（ツァイス社、ＡＸ１０）、光源（ＬＥＪ社、ＦｌｕｏＡｒｃ００１．２６Ａ  Ｕｓａｂｌｅ  ｗｉｔｈ  ＨＢＯ  １０）、センサー（浜松ホトニクス社、ＥＭ−ＣＣＤ  Ｃ９１００）、蛍光フィルター、解析ソフト（浜松ホトニクス社、ＡＱＵＡＣＯＳＭＯＳ  ２．６：露光時間  １．６ｓ、ＥＭゲイン  ９０、オフセット  ０、ビニング  ×１）を用いて撮影され、自家蛍光に対して十分なＳ／Ｎ比を有して蛍光を発する核酸検出反応容器に含まれるローダミンが観察された。
【００４１】
図５は、実施例１における生体成分解析結果を示す写真である。図５において、１は蛍光色素のみが入った微小ウェル１５を示す。２は蛍光色素と６μｍのビーズ２０が入った微小ウェル１５を示す。３は蛍光色素と３μｍのビーズ２０が入った微小ウェル１５を示す。４は３μｍのビーズ２０が観察された結果である。
【００４２】
実施例１の図５のうち２と３の蛍光強度を比較すると２の方が強く測定できている。これは、６μｍのビーズ２０が微小ウェル１５より大きいためビーズ２０の下部に観察に十分な量の発光した液体が存在しているためである。
【００４３】
本発明の一実施形態に係る生体物質検出方法は、核酸導入方法、核酸検出方法、生体成分解析方法として利用することができ、生体成分核酸定量用アレイデバイス及び生体成分解析キットを使用する際に、ビーズの入った微小ウェルからのシグナルを高精度に検出することができる。
【００４４】
本発明の第四の様態は、図６に示すように、微小ウェル１５の側面が円錐台状になっており、微小ウェル１５の底面の直径がビーズの直径よりも小さくなっていることで、微小ウェル１５の底面にビーズ２０が接触しないようにすることで、微小ウェル１５の底面からシグナルを検出することを特徴とする検査キットである。
なお、実際には、ウェルの側面形状は円錐台状に限定されず、ビーズ２０が微小ウェル１５の底面に接触しない形状であれば良い。
【００４５】
以上、特定の実施形態を参照して本発明を説明したが、これらの説明によって発明を限定することを意図するものではない。本発明の説明を参照することにより、当業者には、開示された実施形態の種々の変形例とともに本発明の別の実施形態も明らかである。したがって、特許請求の範囲は、本発明の範囲及び要旨に含まれるこれらの変形例又は実施形態も網羅すると解すべきである。
【符号の説明】
【００４６】
１０…カバー
１１…疎水性材料
１２…基材部
１５…微小ウェル
２０…ビーズ
３０…油性封止液
３１…混合液
３５…構造体
４０…磁石
【図１】
2017049151.tif 000003
【図２】
2017049151.tif 000004
【図３】
2017049151.tif 000005
【図４】
2017049151.tif 000006
【図５】
2017049151.tif 000007
【図６】
2017049151.tif 000008